(57)【特許請求の範囲】
【請求項１】
水平同期信号に対応した有効期間とブランキング期間とを含む外部イネーブル信号に応答して、前記有効期間の間に映像を表示するための表示データと前記ブランキング期間の間に映像の表示を休止するための休止データとを含む映像データを出力するタイミングコントローラと、
前記映像データを受信してディスプレイパネルの複数のソースラインを駆動する複数のソースドライバと、を備える画像通信装置において、
前記タイミングコントローラと前記ソースドライバは、クロック信号と前記映像データを重畳させて伝送するＰ２Ｐ型の伝送方式にて接続されており、
前記タイミングコントローラは、
前記複数のソースドライバに前記映像データを伝送するデータ送信部と、
前記外部イネーブル信号に基づいて、前記ブランキング期間の間、前記データ送信部から前記ソースドライバへの前記映像データの伝送を停止させるブランキング期間データ制御部と、を有し、
前記タイミングコントローラは、
前記有効期間中の１水平期間内に前記映像データの伝送を停止する期間を形成し、
前記映像データの伝送が停止している間、当該タイミングコントローラから前記ソースドライバへ印加される電圧を遮断して、当該タイミングコントローラから前記ソースドライバへの伝送を完全に停止させる
画像通信装置。
【請求項２】
前記タイミングコントローラは、
セルフリフレッシュ（ＰＳＲ）モードであることを検出したときに、前記データ送信部から前記ソースドライバに伝送する前記映像データのフレームレートを低下させるＰＳＲ制御部を、さらに有する
請求項１に記載の画像通信装置。
【請求項３】
前記ＰＳＲ制御部は、フレームレートに対応した最適なＶｃｏｍ設定値を把握しており、前記フレームレートを低下させた際に、前記フレームレートに対応した最適なＶｃｏｍ設定値を、前記データ送信部を介して前記ソースドライバへ送信する
請求項２に記載の画像通信装置。
【請求項４】
前記タイミングコントローラは、
ある画像フレームにおいて、前記データ送信部から前記複数のソースドライバのそれぞれに伝送する複数の画像ラインのうち、少なくとも２以上の画像ラインの伝送を停止させるライン間引き制御部を、さらに有する
請求項１から請求項３のいずれかに記載の画像通信装置。
【請求項５】
前記タイミングコントローラは、
前記データ送信部から前記ソースドライバに伝送する前記映像データが静止画であることを検出したときに、前記映像データに変化があるまでの間、前記データ送信部から前記ソースドライバへの前記映像データの伝送を停止させる静止画制御部を、さらに有する
請求項１から請求項４のいずれかに記載の画像通信装置。
【請求項６】
前記タイミングコントローラは、
ある画像フレームにおいて、前記データ送信部から前記複数のソースドライバのそれぞれに伝送する複数の画像ラインに、同一の画像ラインがあるか否かを判定するライン比較部と、
前記ライン比較部によって同一であると判断された複数の画像ラインについては、その一部又は全部を、前記データ送信部を介して前記ソースドライバへと同時に伝送するデータ伝送制御部と、をさらに有する
請求項１から請求項５のいずれかに記載の画像通信装置。
【請求項７】
前記タイミングコントローラは、
第１の画像フレームとこれに続く第２の画像フレームとにおいて、その一部又は全部に同一の画像となる部分が存在するか否かを判定するフレーム比較部と、
前記フレーム比較部によって同一の画像であると判断された部分については、その画像に変化があるまでの間、前記データ送信部から前記ソースドライバへの前記映像データの伝送を停止させるデータ伝送制御部と、をさらに有する
請求項１から請求項５のいずれかに記載の画像通信装置。
【請求項８】
前記タイミングコントローラは、
前記複数のソースドライバのそれぞれに前記映像データを伝送する前記データ送信部を、前記ソースドライバごとに個別に制御するソースドライバ個別制御部を、さらに有する
請求項１から請求項７のいずれかに記載の画像通信装置。
【発明の詳細な説明】
【技術分野】
【０００１】
本発明は、液晶パネルモジュールに画像データを伝送するための画像通信装置に関する。
【背景技術】
【０００２】
モバイル機器では、消費電力の低減によるバッテリ駆動時間を長くすることが商品付加価値を大きく向上させる。このため、モバイル機器を製造する各社は、低消費電力化の対策に注力している。また、パネルの解像度向上に伴い、データ処理量及び周波数は増加の一途をたどり、消費電力は大きな課題になっている。そこで、例えばノートパソコンにおいて、ＧＰＵ（Graphics Processing Unit）にＶＥＳＡ（Video Electronics Standard Association）規定のｅＤＰ（embedded DisplayPort）を採用し、ＰＳＲ（Panel Self Refresh）機能を利用することで、描画データに一定期間変化がない場合は、ＧＰＵからタイミングコントローラへの描画データの転送を停止させて、タイミングコントローラ側のフレームメモリからパネルモジュールを駆動する。このように、ＧＰＵ側において消費電力低減を図る技術は、従来から知られている（例えば、特許文献１）。
【先行技術文献】
【特許文献】
【０００３】
【特許文献１】特開２００７−２８６８０７号公報
【発明の概要】
【発明が解決しようとする課題】
【０００４】
しかしながら、タイミングコントローラを含むパネルモジュール側に関しては、消費電力低減のための対策がほとんど取られていないのが現状である。
【０００５】
また、中小型ディスプレイパネル用のタイミングコントローラとソースドライバ間のインターフェースでは、これまでｍｉｎｉ−ＬＶＤＳなどが多く採用されてきた。しかし、近年の高解像度ディスプレイパネルでは、基準信号であるクロックと伝送データが分離されていることが原因となって発生する伝送路上のタイミングのずれであるスキューが問題となり、ｍｉｎｉ−ＬＶＤＳなどは使えなくなっている。このため、クロックとデータを重畳させたＰ２Ｐ（Point-to-Pont）型の１：１伝送方式が主流となっている。ただし、今後ディスプレイの解像度がますます増加することを考えると、このようなＰ２Ｐ型の伝送においても、特に消費電力の低減は急務であり、新しい解決策が待たれているのが現状である。
【０００６】
そこで、本発明は、タイミングコントローラとソースドライバ間のインターフェースの伝送方法を工夫することで、液晶パネルモジュール等の低消費電力化を図ることのできる画像通信装置を提供することを目的とする。
【課題を解決するための手段】
【０００７】
本発明は、基本的に、タイミングコントローラ（送信装置）をマスターとして、画像入力信号をリアルタイムに把握し、ソースドライバを含めたディスプレイパネル側の伝送システム全体をリアルタイムに制御する。これにより、本発明は、タイミングコントローラからソースドライバへの不要なデータ伝送を削減し、ディスプレイパネルの消費電力を最小化する。
【０００８】
本発明は、画像通信装置に関する。
本発明の画像通信装置は、タイミングコントローラとソースドライバとを備えている。
タイミングコントローラは、有効期間とブランキング期間とを含む外部イネーブル信号に応答して、映像データをソースドライバへと出力するための電子機器である。ここにいう映像データには、イネーブル信号の有効期間の間に映像を表示するための「表示データ」と、イネーブル信号のブランキング期間の間に映像の表示を休止するための「休止データ」とが含まれる。
ソースドライバは、映像データを受信してディスプレイパネルの複数のソースラインを駆動するための電子機器である。
ここで、タイミングコントローラは、データ送信部とブランキング期間データ制御部とを有している。
データ送信部は、複数のソースドライバに映像データを伝送するための要素である。
ブランキング期間データ制御部は、外部イネーブル信号に基づいて、ブランキング期間の間に、データ送信部からドライバへの映像データの伝送を停止させるための要素である。すなわち、ブランキング期間データ制御部は、ブランキング期間の間には、「表示データ」と「休止データ」を含む映像データの伝送を完全に停止させる。
【０００９】
上記構成のように、ブランキング期間の間に映像データ（特に休止データ）の伝送を停止させことで、タイミングコントローラの機能によって、ディスプレイパネルの低消費電力化を実現できる。すなわち、一般的なタイミングコントローラは、外部イネーブル信号のブランキング期間中も、ディスプレイパネルの複数のソースラインを駆動させる複数のソースドライバのタイミングを同期させるために、各ソースドライバに対して休止データを伝送し続けている。しかし、ブランキング期間中はディスプレイパネルのソースラインは画像の表示に関与するものではなく、そのブランキング期間中にまでソースラインにデータを送信していると消費電力に無駄が発生する。そこで、本発明では、ブランキング期間中には、表示データと休止データを含む映像データの伝送を完全に停止させる。これにより、タイミングコントローラ側の構成にて、ディスプレイパネルの消費電力を低減させることができる。
【００１０】
本発明において、タイミングコントローラは、ＰＳＲ制御部をさらに有することが好ましい。ＰＳＲ制御部は、タイミングコントローラがセルフリフレッシュ（ＰＳＲ：Panel Self Refresh）モードであることを検出したときに、データ送信部からソースドライバに伝送する映像データのフレームレートを低下させる。
【００１１】
ＰＳＲモードは、タイミングコントローラに映像データを入力するＧＰＵが表示画面に変化がないと判断した場合に、このＧＰＵからタイミングコントローラへの描画データの転送を停止させて、タイミングコントローラ側のフレームメモリからディスプレイパネルを駆動している期間である。このため、ＰＳＲモードでは、ＧＰＵが内部で描画画面を生成し、タイミングコントローラに送信する際に必要な動作電力が削減できる。ただし、一般的なＰＳＲモードでは、タイミングコントローラによるディスプレイパネルの駆動制御に変化はなく、タイミングコントローラ側の消費電力は低減されていない。そこで、上記構成のように、タイミングコントローラが、ＰＳＲモードであることを検出し、その場合にはタイミングコントローラによって映像データのフレームレートを低減させるようにすることで、タイミングコントローラ側の制御でディスプレイパネルの消費電力を低減させることができる。
【００１２】
本発明において、ＰＳＲ制御部は、フレームレートに対応した最適なＶｃｏｍ設定値を把握しており、フレームレートを低下させた際に、フレームレートに対応した最適なＶｃｏｍ設定値を、データ送信部を介してソースドライバへ送信することが好ましい。
【００１３】
上述のように、映像データのレームレートを下げると、しばしばフリッカノイズがディスプレイパネル上に発生することがある。このフリッカノイズは、ディスプレイパネルのＶｃｏｍ（液晶パネルのコモン電圧）の変動が原因となって発生する。そこで、タイミングコントローラ側でフレームレートに対応した最適なＶｃｏｍ設定値を把握しておき、フレームレートの変化に合わせて、最適なＶｃｏｍ設定値をソースドライバにコマンドとして送信する。これにより、ディスプレイパネルに生じるフリッカノイズを抑制することができる。
【００１４】
本発明において、タイミングコントローラは、ライン間引き制御部をさらに有することが好ましい。ライン間引き制御部は、ある画像フレームにおいて、データ送信部から複数のソースドライバのそれぞれに伝送する複数の画像ラインのうち、少なくとも２以上の画像ラインの伝送を停止させる制御を行う。
【００１５】
上記構成のように、例えばディスプレイパネルの表示画像に変化がない場合に、複数のソースドライバに送信する画像ラインの一部を間引くことで、ディスプレイパネルの消費電力を低減させることができる。
【００１６】
本発明において、タイミングコントローラは、静止画像制御部をさらに有することが好ましい。
静止画像制御部は、データ送信部からソースドライバに伝送する映像データが静止画であることを検出したときに、その映像データに変化があるまでの間、データ送信部からソースドライバへの映像データの伝送を停止させる。
【００１７】
上記構成のように、ディスプレイパネルに静止画が表示されている場合には画面の書き換えを行う必要がないため、その画面が変化するまでの間、データ送信部からドライバへの映像データの伝送を停止させることができる。これにより、ディスプレイパネルの消費電力が低下する。
【００１８】
本発明において、タイミングコントローラは、ライン比較部とデータ伝送制御部とをさらに有することが好ましい。
ライン比較部は、ある画像フレームにおいて、データ送信部から複数のソースドライバのそれぞれに伝送する複数の画像ラインに、同一の画像ラインがあるか否かを判定する。
データ伝送制御部は、ライン比較部によって同一であると判断された複数の画像ラインについては、その一部又は全部を、データ送信部を介してソースドライバへと同時に伝送する。
【００１９】
上記構成のように、同一画像を表示するための複数の画像ラインについては同時にソースドライバへと伝送することで、次の伝送までの期間を長くすることができる。このように、次の伝送までの期間、ソースドライバへの伝送を停止させることで、消費電力を抑えることができる。
【００２０】
本発明において、タイミングコントローラは、フレーム比較部とデータ伝送制御部とをさらに有することが好ましい。
フレーム比較部は、第１の画像フレームとこれに続く第２の画像フレームとにおいて、その一部又は全部に同一の画像となる部分が存在するか否かを判定する。
データ伝送制御部は、フレーム比較部によって同一の画像であると判断された部分については、その画像に変化があるまでの間、データ送信部からソースドライバへの映像データの伝送を停止させる。
【００２１】
上記構成のように、前後の画像フレームの一部又は全部に変化がない場合には、その画像に変化が生じるまでの間、その変化がない部分についてのデータの伝送を停止させることで、消費電力を抑えることができる。
【００２２】
本発明において、タイミングコントローラは、ソースドライバ個別制御部をさらに有することが好ましい。ソースドライバ個別制御部は、複数のソースドライバのそれぞれに映像データを伝送するデータ送信部を、ソースドライバごとに個別に制御する。
【００２３】
上記構成のように、タイミングコントローラによって複数のソースドライバを個別に制御することで、映像データの伝送が不要なソースドライバについては、個別に映像データの伝送を停止させることができる。このため、より細かくデータの伝送の無駄を省くことができる。
【００２４】
本発明において、タイミングコントローラは、ソースドライバの電圧をリアルタイムに制御できるものであることが好ましい。
【００２５】
上記構成のように、タイミングコントローラによってソースドライバの電圧をリアルタイムに制御することで、従来の固定設定に比べて、より細かく消費電力を削減することができる。
【発明の効果】
【００２６】
本発明は、モバイル機器等のディスプレイモジュールにおいて、タイミングコントローラとソースドライバ間のインターフェースの伝送方法を工夫することで、低消費電力のディスプレイパネルモジュールを提供することができる。
【図面の簡単な説明】
【００２７】
【図１】図１は、本発明に係る画像通信装置を備えたディスプレイモジュールの全体構成を示したブロック図である。
【図２】図２は、ＧＰＵ側の低消費電力の技術として知られているＰＳＲ（Panel Self Refresh）モードを説明した図である。ＰＳＲモードは、描画データに一定期間変化がない場合は、ＧＰＵとタイミングコントローラへの描画データの転送を停止させて、タイミングコントローラ側からパネルモジュールを駆動することでＧＰＵ側の消費電力低減を行う技術である。
【図３】図３は、タイミングコントローラを含むパネルモジュール側において、低消費電力化の対策が取られていない現状を説明するための図である。また、図３は、タイミングコントローラとソースドライバ間のインターフェースの伝送方法を工夫することで低消費電力の液晶パネルモジュールを提供するという、本発明の基本構成を示している。
【図４】図４は、タイミングコントローラの内部ブロック図を示している。
【図５】図５は、第１の実施形態において、ブランキング期間中にタイミングコントローラからソースドライバへのデータ伝送を停止する制御を示す図である。
【図６】図６は、第１の実施形態における、動作フローを示す図である。
【図７】図７は、第２の実施形態において、ＰＳＲ（Panel Self Refresh）モード中にフレームレートを下げる制御を示す図である。
【図８】図８は、第２の実施形態における、動作フローを示す図である。
【図９】図９は、第２の実施形態において、フレームレートを下げた際に発生するフリッカノイズの対策を示す図である。
【図１０】図１０は、第３の実施形態における制御の概念を示す図である。第３の実施形態では、フレームレートを維持しつつ、表示する画像を間引くことで消費電力低減する制御を行う。
【図１１】図１１は、第３の実施形態における間引き回路の構成例を示す図である。
【図１２】図１２は、図１０に示した第３の実施形態において、ゲートドライバの制御信号の例を示す図である。
【図１３】図１３は、第３の実施形態における間引き回路の一例を示している。図１３は、奇数ラインのみ出力し、偶数ラインのみ間引く際のゲートドライバのタイミング図である。
【図１４】図１４は、第３の実施形態における間引き回路の他の例を示している。図１４は、フレームにより間引くラインを変える場合のゲートドライバのタイミング図である。
【図１５】図１５は、第３の実施形態の応用例を示しており、ライン間引きの方法を工夫することで、トータルの変化量が小さくした制御例を示している。図１５は、所定の設定値を予め定めておき、その設定に従ってラインを間引くことで、消費電力を削減することが可能であることを示している。
【図１６】図１６は、第４の実施形態の構成の概要を示している。第４の実施形態は、静止画制御部を利用して、タイミングコントローラ側でディスプレイモジュールを低消費電力モードにする。
【図１７】図１７は、第４の実施形態における静止画制御部の構成例を示した図である。
【図１８】図１８は、第４の実施形態の応用例を示しており、静止画であることを部分的に判定することでフレキシブルな制御が可能であることを示した図である。
【図１９】図１９は、第５の実施形態の制御例を示した図である。第５の実施形態では、１フレーム内で同一画像が続くラインについてはタイミングコントローラからソースドライバへのデータ伝送を停止する。
【図２０】図２０は、第５の実施形態におけるライン間の比較回路の構成例、及びフレーム間の比較回路の構成例を示している。
【図２１】図２１は、第５の実施形態の制御例を示している。第５の実施形態では、同じフレーム内に同一画像が存在すると判断した場合に、タイミングコントローラからゲートドライバへ一括してライトする命令を送り、ゲートドライバから当該領域のラインは一括ライトする。これにより、ライト後残りの時間はパワーセーブにすることで消費電力の低減が可能になる。
【図２２】図２２は、第５の実施形態における動作タイミングを示した図である。
【図２３】図２３は、第６の実施形態の制御例を示した図である。第６の実施形態では、複数あるソースドライバをリアルタイムに個別に制御する。
【図２４】図２４は、第７の実施形態の構成例を示している。第７の実施形態では、タイミングコントローラからソースドライバの電圧制御をリアルタイムに行うことができる。
【発明を実施するための形態】
【００２８】
以下，図面を用いて本発明を実施するための形態について説明する。本発明は，以下に説明する形態に限定されるものではなく，以下の形態から当業者が自明な範囲で適宜変更したものも含む。本発明は、以下に説明する各実施形態を適宜組み合わせることもできるし、各実施形態を単独で利用することもできる。
【００２９】
［画像通信装置の好ましい実施形態］
図１は、本発明に係る画像通信装置１を備えたディスプレイモジュールの全体構成を説明するためのブロック図である。ここでは、図１を参照して、画像通信装置１の基本構成について説明する。
【００３０】
図１に示されるように、本発明の画像通信装置１は、基本的に、タイミングコントローラ１１（ＴＣＯＮ）と複数のソースドライバ１２（ＳＤ）と備えている。また、本発明の画像通信装置１には、さらにゲートドライバ１３（ＧＤ）や、フレキシブルプリンテドケーブル（ＦＰＣ）が含まれていてもよい。他方で、本発明の画像通信装置１には、映像信号を生成するグラフィックプロセッシングユニット（ＧＰＵ）や映像を表示する液晶ディスプレイパネル（ＬＣＤ）などは、基本的には含まれない。
【００３１】
タイミングコントローラ１１は、ＧＰＵから送信された描画データを液晶パネルのタイミングに合うように各種タイミング信号を生成する集積回路（ＬＳＩ：large-Scale Integration）である。タイミングコントローラ１１は、ソースドライバ１２及びゲートドライバ１３に接続されており、これらの各ドライバを駆動させる制御を行う。タイミングコントローラ１１は、ＧＰＵなどの外部装置から提供されるデータイネーブル信号（ＤＥ）に応じて、ソースドライバ１２に映像データを伝送するための制御信号を生成する。データイネーブル信号には、有効期間とブランキング期間とが含まれ、これらの有効期間とブランキング期間が周期的に繰り返される。
【００３２】
ソースドライバ１２は、ディスプレイパネルを駆動するためのドライバＩＣであり、行方向のデータ線を駆動するための要素である。つまり、ソースドライバ１２は、ディスプレイパネルを構成する複数のソースラインに接続されている。このため、ソースライン１２は、タイミングコントローラ１１から映像データと行方向の開始信号を受信して、ディスプレイパネルの複数のソースラインを駆動することができる。
【００３３】
ゲートドライバ１３は、ディスプレイパネルを駆動するためのドライバＩＣであり、列方向のデータ線を駆動するための要素である。つまり、ゲートドライバ１３は、ディスプレイパネルを構成する複数のゲートラインに接続されている。このため、ゲートドライバ１３は、タイミングコントローラ１１から列方向の開始信号を受信して、ディスプレイパネルの複数のゲートラインを駆動することができる。
【００３４】
本発明に係る本発明の画像通信装置１の好ましい例は、タイミングコントローラ１１（送信装置）がマスターとなり、画像入力信号をリアルタイムに把握し、各ドライバ１２、１３を含めた伝送システム全体をリアルタイムに制御することである。これにより、タイミングコントローラ１１から各ドライバ１２、１３への不要なデータ伝送を削減し、ディスプレイパネルの消費電力を最小化することができる。
【００３５】
図２に、従来から知られているＧＰＵ側の低消費電力の機構を示す。ＧＰＵでは、ｅＤＰ（embedded DisplayPort）上で動作するＰＳＲ（Panel Self Refresh）が使われている。ＰＳＲは、描画データに一定期間変化がない場合は、ＧＰＵとタイミングコントローラへの描画データの転送を停止させて、タイミングコントローラ自身でパネルモジュールを駆動することでＧＰＵ側の消費電力低減を行う技術である。一方、タイミングコントローラを含むパネルモジュール側に関しては、ＰＳＲ機能を使っても消費電力の低減には寄与せず、ほとんど対策が打たれていない現状である。
【００３６】
図３は、本発明の基本概念を示した図である。図３に示されるように、本発明は、タイミングコントローラとソースドライバ間のインターフェースの伝送方法を工夫することで、低消費電力の液晶パネルモジュールを提供することを目的としている。
【００３７】
図４は、タイミングコントローラ１１の内部の要素を詳細に示したブロック図である。図４に示されるように、タイミングコントローラ１１は、データ受信部４１と、ＰＳＲ制御部４２と、フレームメモリ４３と、静止画制御部４４と、ライン比較部４５と、フレーム比較部４６と、ライン間引き制御部４７と、ブランキング期間データ制御部４８と、ソースドライバ個別制御部４９と、ゲートドライバ個別制御部４１０と、データ送信部４１１と、伝送データ制御部４１２とを有している。
【００３８】
データ受信部４１は、例えばノートＰＣのＧＰＵなどの外部装置から送信された画像データ等を受信するための要素である。
【００３９】
ＰＳＲ制御部４２は、ＰＳＲモード状態の制御を行うための要素である。まず、ＧＰＵが一定期間にわたって静止画を描画している場合、このＧＰＵからタイミングコントローラ１１へ、ＰＳＲモードのコマンドが送信される。このコマンドをＧＰＵから受信すると、ＰＳＲ制御部４２はＰＳＲモードの制御を開始する。具体的には、ＰＳＲ制御部４２は、ＰＳＲモードであることを認識すると、ＰＳＲモードの対象となる静止画のフレームデータをフレームメモリ４３に格納する。そして、ＰＳＲ制御部４２は、フレームメモリ４３に格納したフレームデータを読み出して、ディスプレイパネル（ＬＣＤ）を制御する。このように、ＰＳＲモードでは、フレームメモリ４３に格納されているフレームデータに基づいて、タイミングコントローラ１１自身がディスプレイパネルの書き換えを行う。このため、ＧＰＵからタイミングコントローラ１１へとフレームデータを繰り返し送信する必要がなくなり、ＧＰＵをスタンバイ状態としておくことができる。このため、ＰＳＲモードに移行することで、ＧＰＵを備えるノートＰＣ全体としては消費電力を低減することができる。
【００４０】
フレームメモリ４３は、タイミングコントローラ１１に設けられた一時記憶装置である。フレームメモリ４３には、上述したように、ＰＳＲモード時に、タイミングコントローラ１１からディスプレイパネルに表示する画像（フレームデータ）が格納される。
【００４１】
静止画制御部４４は、タイミングコントローラ側で、ＧＰＵから入力された画像が静止画であるか動画であるかを判定するための要素である。詳しくは後述するように、静止画制御部４４は、ＧＰＵから入力された画像が静止画であると判定した場合、その旨の情報をライン間引き制御部４７に伝達する。ライン間引き制御部４７は、静止画制御部４４からの指示に従って、データ間引き動作を行い消費電力の低減を図る。また、タイミングコントローラ１１がＰＳＲをサポートしていないＧＰＵに接続されている場合であっても、このタイミングコントローラ１１に静止画制御部４４を設け、ＧＰＵから入力された画像が静止画であるか否かを判定することで、タイミングコントローラ１１側の判断で自動的にＰＳＲモードに移行することも可能である。
【００４２】
ライン比較部４５は、ＧＰＵから送信された画像データを構成するある特定のフレームに含まれる複数の画像ラインを比較し、同一の画像ラインがあればその情報を伝送データ制御部４１２へと伝達するための要素である。ライン比較部４５は、例えば、前後の画像ラインを比較し、ある特定の画像ラインがその前の画像ライン（又はその後の画像ライン）と同一であるか否かを判定する。例えば、ライン比較部４５によってある特定の画像ラインがその前の画像ラインと同一であると判定された場合、伝送データ制御部４１２は、その特定の画像ラインについてはソースドライバ１２への伝送を停止して、消費電力を低減させることができる。
【００４３】
フレーム比較部４６は、ＧＰＵから送信された画像データを構成する複数のフレームを比較し、同一のフレームがあればその情報を伝送データ制御部４１２へと伝達する要素である。フレーム比較部４６は、例えば、前後のフレームを比較し、ある特定のフレームがその前のフレーム（又はその後のフレーム）と同一であるか否かを判定する。例えば、フレーム比較部４６によってある特定のフレームがその前のフレームと同一であると判定された場合、伝送データ制御部４１２は、その特定のフレームについてはソースドライバ１２への伝送を停止して、消費電力を低減させることができる。
【００４４】
伝送データ制御部４１２は、上述の通り、ライン比較部４５及び／又はフレーム比較部６５から受け取った比較結果の情報に基づいて、タイミングコントローラ１１からソースドライバ１２へ送信するデータを制御するための要素である。上述のとおり、伝送データ制御部４１２は、前のラインと同一のライン及び／又は前のフレームと同一のフレームについては、ソースドライバ１２への伝送を停止させて消費電力の低減を図る。
【００４５】
ライン間引き制御部４７は、例えばＰＳＲ制御部４２がＰＳＲモード中であると判断した場合、及び／又は静止画判定部４４がＧＰＵから入力された画像データを静止画であると判断した場合に、本来の画像データから一定割合で画像ラインを間引くことで消費電力を削減するための要素である。
【００４６】
ブランキング期間データ制御部４８は、タイミングコントローラ１１からソースドライバ１２へ送るデータにおいて、垂直ブランキング期間あるいは水平ブランキング期間はデータの伝送を停止することで消費電力を削減するための要素である。
【００４７】
ソースドライバ個別制御部４９は、タイミングコントローラ１１からソースドライバ１２への画像データ伝送において、複数あるソースドライバ１２を個別に制御するための要素である。
【００４８】
ゲートドライバ個別制御部４１０は、タイミングコントローラ１１からソースドライバ１２への画像データ伝送において、複数あるゲートドライバ１２を個別に制御するための要素である。ゲートドライバ個別制御部４１０は、例えば、ゲートドライバ１３からディスプレイパネル（ＬＣＤ）への書き込み制御に関して、複数ラインが同一データの場合、複数ライン一括書き込みする制御信号を生成する。
【００４９】
データ送信部４１１は、タイミングコントローラ１１からソースドライバ１２に対して、画像データやその他のコマンド情報を出力するための要素である。データ送信部４１１は、例えば、高速Ｐ２Ｐ（Point-to-Point）出力部としての機能を担う要素である。
【００５０】
［本発明の第１の実施形態］
まず、本発明の第１の実施形態について説明する。本発明の第１の実施形態は、ブランキング期間中に、タイミングコントローラ１１からソースドライバ１２へのデータ伝送を完全に停止することで、タイミングコントローラ１１の制御によってディスプレイパネル（ＬＣＤ）の消費電力を削減する。具体的に説明すると、ＧＰＵから入力された画像信号に基づいて、タイミングコントローラ１１は、映像同期信号を抽出したり生成したりする。例えば、図５に示されるように、この映像同期信号には、複数のソースドライバ１２を同期して駆動させるための水平同期信号（Ｈ：Hsync）や、複数のゲートドライバを同期して駆動させるための垂直同期信号（Ｖ：Vsync）、及び周期的に繰り返される有効期間とブランキング期間とを含む外部イネーブル信号（ＤＥ）とが含まれる。
【００５１】
ここで、図５に示されるように、一般的な従来のデータ伝送処理において、タイミングコントローラ１１は、外部イネーブル信号（ＤＥ）の有効期間内に、映像を表示するための表示データを各ソースドライバ１２に対して伝送する。また、タイミングコントローラ１１は、外部イネーブル信号（ＤＥ）のブランキング期間内に、映像の表示を休止させるための休止データを各ソースドライバ１２に対して伝送している。このように、タイミングコントローラ１１は、外部イネーブル信号（ＤＥ）に基づいて、表示データと休止データから構成される映像データを、各ソースドライバ１２に対して常時伝送することが一般的であった。つまり、タイミングコントローラ１１は、有効期間であるかブランキング期間であるかに関わらず、各ソースドライバ１２に対して電圧を印加し続けていることとなる。
【００５２】
しかしながら、ブランキング期間内は映像の表示が休止されており、ソースドライバ１２に接続されたソースラインには画像が表示されない。このため、ブランキング期間内にタイミングコントローラ１１からソースドライバ１２に電圧を印加していると、無駄な電力が消費されることとなる。そこで、本発明の第１の実施形態では、図５に示されるように、タイミングコントローラ１１にブランキング期間データ制御部４８を設けて、外部イネーブル信号に基づき、ブランキング期間の間、データ送信部４１１からソースドライバ１２へ表示データ及び休止データからなる映像データの伝送を完全に停止させる。すなわち、ブランキング期間データ制御部４８は、外部イネーブル信号を解析してブランキング期間を特定し、このブランキング期間の間、データ送信部４１１からソースドライバ１２へ印加される電圧を遮断して、データ送信部４１１からソースドライバ１２への伝送を完全に停止させる。このように、タイミングコントローラ１１側で、ブランキング期間中の画像伝送を停止することで、ディスプレイパネルの消費電力を低減させることが可能になる。
【００５３】
図６は、第１の実施形態に係る画像通信装置１の動作フローを示している。図６に示されるように、まず、ＧＰＵからタイミングコントローラ１１に画像信号が入力される。タイミングコントローラ１１は、ＧＰＵから入力された画像信号に基づいて、水平同期信号（Ｈ：Hsync）、垂直同期信号（Ｖ：Vsync）及び外部イネーブル信号（ＤＥ）を含む映像同期信号を抽出又は生成する。タイミングコントローラ１１のブランキング期間データ制御部４８は、外部イネーブル信号（ＤＥ）を解析することで、その中に含まれるブランキング期間を認識する。そして、ブランキング期間データ制御ブ４８は、データ送信部４１１ブランキング期間の間、データ送信部４１１を制御して、このデータ送信部４１１からソースドライバ１２へのデータ伝送を停止させる。これにより、タイミングコントローラ１１側の制御で、ディスプレイパネルの消費電力を低減させることが可能になる。
【００５４】
また、図５に示されるように、タイミングコントローラ１１は、映像データに含まれる表示データを可能な限り早く送信し、休止データを送信する期間を長く取り、その休止データを送信すべき期間の間データの伝送を停止させることもできる。例えば，映像データに含まれる表示データを早く送信するためには，液晶ディスプレイのＣＯＧ上におけるＴＣＯＮとソースドライバ間のＰ２Ｐ（Point-to-Point）インタフェースを高速化させる。このように、タイミングコントローラ１１からソースドライバ１２へのデータ伝送を細かく停止させることで、さらに消費電力を低減させることも可能である。
【００５５】
［本発明の第２の実施形態］
次に、本発明の第２の実施形態について説明する。第２の実施形態では、図７及び図８に示されるように、ＰＳＲ（Panel Self Refresh）モード中にフレームレートを下げることで、パネルモジュールの消費電力を低減する。具体的に説明すると、タイミングコントローラ１１のＰＳＲ制御部４２は、ＰＳＲモードとなったことを認識したときに、映像データのフレームレートをリアルタイムに低下させて、パネルモジュールの低消費電力化を図る。すなわち、前述したように、タイミングコントローラ側は、映像同期信号（Hsync、Vsync、DE）を抽出又は生成することができる。この映像同期信号には、複数のゲートドライバを同期して駆動させるための垂直同期信号（Ｖ：Vsync）が含まれている。タイミングコントローラ１１は、この垂直同期信号のタイミングを制御することで、フレームレートを変化させることが可能である。図７に示した例では、タイミングコントローラ１１側の制御により、映像データのフレームレートを６０Ｈｚから４０Ｈｚに低下させている。
【００５６】
ＰＳＲ制御部４２は、例えば、ＰＳＲモード開始のコマンドがＧＰＵから入力されたときに、ＰＳＲモードが開始したことを認識し、フレームレートを低下させるようにしてもよい。また、ＰＳＲ制御部４２は、映像データを構成する前後のフレームが同一であるかどうかを解析して、フレームが同一である期間が所定期間以上継続したときに、ＰＳＲモードが開始したことを認識し、フレームレートを低下させるようにしてもよい。タイミングコントローラ１１側でフレームレートを下げることにより、パネルモジュールの低消費電力化を図ることができる。
【００５７】
ただし、フレームレートを下げると、しばしばフリッカノイズが表示画面上に発生することがある。フリッカノイズは、パネルのＶｃｏｍ（ディスプレイパネルのコモン電圧）の変動が原因である。低フレームレートに移行すると、Ｖｃｏｍに電圧変動が発生する。この電圧変動はパネル毎に依存する。そこで、図９に示されるように、ＰＳＲ制御部４２は、事前にフレームレートとＶｃｏｍ変動量を評価し、フレームレートに対応した最適なＶｃｏｍ設定値を決定しておくことが好ましい。ＰＳＲ制御部４２は、ＰＳＲモード移行時にフレームレートを低下させた場合、低下後のフレームレートに対応した最適なＶｃｏｍ設定値を、コマンドにてソースドライバ１２へ送信する。そして、ソースドライバ１２は、タイミングコントローラ１１のＰＳＲ制御部４２から受け取ったＶｃｏｍ設定値に基づいて、ディスプレイパネルのコモン電圧を制御する。このように、タイミングコントローラ１１からソースドライバ１２にＶｃｏｍ設定値を送信し、このタイミングコントローラ１１によってソースドライバ１１をリアルタイムに制御することで、ディスプレイパネル上に発生するフリッカノイズを抑制することができる。
【００５８】
［本発明の第３の実施形態］
次に、本発明の第３の実施形態について説明する。第３の実施形態では、映像データのフレームレートは落とすことなく、例えば６０Ｈｚのままで、画像データを構成する画像ラインを間引くことによって消費電力を低減する。具体的に説明すると、タイミングコントローラ１１は、ライン間引き制御部４７を有する。ライン間引き制御部４７は、ある画像フレームにおいて、データ送信部４１１から複数のソースドライバ１２のそれぞれに伝送する複数の画像ラインのうち、少なくとも２以上の画像ラインの伝送を停止させる。
【００５９】
例えば、図１０に示した例では、ある画像データを構成する複数の画像ラインのうち、半分の画像ラインの伝送を停止させている。図１０に示されるように、間引かれたラインについては、ライミングコントローラ１１からソースドライバ１２への伝送を停止させる。このため、画像ラインを間引くことで、ディスプレイパネルの低消費電力化を図ることができる。また、図１０に示されるように、第１のフレームでは、奇数の画像ラインの伝送を停止させる。また、第１のフレームに続く第２のフレームでは、偶数の画像ラインの伝送を停止させる。このように、ある特定のフレームの画像ラインを間引くときには、その前のフレームで間引かれていない画像ラインを間引くようにすることが好ましい。これにより、画像ラインを間引いた場合であっても、視聴者に対して適切な映像を認識させることができる。
【００６０】
また、例えば図１１に示されるように、ライン間引き制御部４７は、間引き前の画像の全ラインを入力データとし、間引きライン制御信号により入力データの選択／非選択を行う。そして、ライン間引き制御部４７は、選択されたラインのみを間引き後データとして出力する。これにより、ライン間引き制御部４７を利用して最適なラインのみを間引くことができる。なお、図１０及び図１１では、一つのフレームを構成する複数の画像ラインうち半分の画像ラインの伝送を停止させる例を示しているが、例えば、その他に１／３の画像ラインの伝送を停止させてもよいし、１／４の画像ラインの伝送を停止させてもよい。
【００６１】
また、第３の実施形態において、ライン間引き制御部４７は、ＰＳＲ制御部４２がＰＳＲモードであることを認識した場合、又は静止画検出部４が静止画像を検出した場合にのみ、上述した画像ラインを間引く処理を開始することとしてもよい。ただし、ライン間引き制御部４７は、常に、上述した画像ラインを間引く処理を行うものであってもよい。
【００６２】
また、図１２に、ディスプレイパネルのゲート方向の駆動方法を示す。図１２に示されるように、タイミングコントローラ１１からソースドライバ１２及びゲートドライバ１３に伝送される映像同期信号には、先頭にゲートスタートパルス信号があり、最初のゲートドライバの駆動のタイミングを決めている。また、このゲートスタートパルス信号を起点にして、ゲートクロックとゲートイネーブル信号により、上から下に向け順番にゲートラインをオンしていく。一般的にゲート信号はどれか１ラインしかオンしない。
【００６３】
図１３に、間引き動作を行う際のゲートドライバのタイミング図を示す。図１３では、一例として、偶数ラインの伝送を停止させて、奇数ラインのゲートラインのみオンするようにタイミングを制御する。
【００６４】
図１４に、フレームごとに間引くラインを可変にする例を示す。図１４に示されるように、画像に対応して、伝送を停止するラインを変えることで、消費電力と画質の最適化を図ることができる。
【００６５】
図１５に、第３の実施形態のさらに別の例を示す。上述したように、偶数ラインの間引きや奇数ライン間引き等の単純な間引きでは、出力変化（ソースドライバ出力駆動）の回数は減っているが、１回の変化量は大きくトータルの変化量はあまり下がらないため、電力削減効果が小さいという問題があった。そこで、図１５の下段に示されるように、ラインの間引き方を工夫し、トータルの変化量が小さくなるように、間引き方の設定値として予め決めておき、その設定値に従ってラインを間引くことで、消費電力を削減することも可能である。図１５の実施例では、全ラインを１２ラインずつに分ける。そして、変化量トータルが少なくなる組み合わせを選択して、１フレームで１２ライン中４ラインずつ駆動する。これにより、３フレームで１２ラインのすべてが駆動されるようにしている。このように、間引くラインについては、任意に設定することが可能である。
【００６６】
また、第３の実施形態においても、第２の実施形態と同様に、フリッカノイズ対策を行うことができる。例えば、ライン間引き制御部４７は、事前にフレームレートとＶｃｏｍ変動量を評価し、フレームレートに対応した最適なＶｃｏｍ設定値を決定しておく。例えば、ライン間引き制御部４７は、６０Ｈｚのフレームレートにおいて１／２の画像ラインの伝送を停止させる場合、そのフレームレートは３０Ｈｚと同様なものとして認識する。そして、ライン間引き制御部４７は、ライン間引き後のフレームレートに対応した最適なＶｃｏｍ設定値を、コマンドにてソースドライバ１２へ送信する。これにより、画像ラインを間引いた場合であっても、ディスプレイパネルのコモン電圧を適切に制御することで、このディスプレイパネル上に発生するフリッカノイズを抑制することができる。
【００６７】
［本発明の第４の実施形態］
続いて、本発明の第４の実施形態について説明する。第４の実施形態では、ＧＰＵから入力された描画データが静止画か動画かをタイミングコントローラ１１によって判定し、静止画であればタイミングコントローラ１１からソースドライバ１２へのデータ伝送を停止することで消費電力を削減する。図１６に示されるように、タイミングコントローラ１１は、ＧＰＵから入力された描画データが静止画であるか否かを判断するための静止画制御部４４を有している。また、図１７に示されるように、例えば、静止画制御部４４は、複数のフレーム内の画像ラインを比較するコンペア回路を有している。コンペア回路は、例えば、最新の入力フレームのデータ（フレームｎ）のＣＲＣ（巡回冗長検査）の処理結果と、その前のフレームのＣＲＣ（フレームｎ−１）の処理結果を比較する。両者が一致すれば、２つのフレームは同一であり画像に変化が生じていないことがわかる。従って、静止画制御部４４は、ＧＰＵから入力された描画データが静止画であると判断できる。そして、静止画制御部４４は、描画データは静止画であると判断した場合、ＧＰＵから入力された描画データに変化が生じるまでの間、データ送信部４１１からソースドライバ１２への映像データの伝送を停止させる。
【００６８】
ソースドライバ１２は、一旦、タイミングコントローラ１１から静止画のデータを受け取り、例えばソースドライバ１２に備わっているラインメモリにその静止画のデータを格納する。ソースドライバ１２のラインメモリに静止画のデータが格納されると、タイミングコントローラ１１からソースドライバ１２へのデータ伝送が停止する。その後、画像データが変化するまでの間、タイミングコントローラ１１からソースドライバ１２へのデータ伝送は行われないため、このソースドライバ１２は、ラインメモリに格納されている画像データを読み出し、ディスプレイパネルのソースラインを駆動させる。これにより、静止画の表示の際には、タイミングコントローラ１１とソースドライバ１２の間の伝送処理を完全に遮断することができるため、消費電力をその分低減させることができる。
【００６９】
図１８は、第４の実施形態の応用例を示している。図１８に示されるように、ＧＰＵから入力された描画データに変化がない場合は、タイミングコントローラ１１は静止画制御部４４によって、その描画データが静止画であることを判定する。その後、タイミングコントローラ１１は、描画データが静止画であることを判定した場合、ＰＳＲモードに移行する。タイミングコントローラ１１は、ＰＳＲモードに移行すると、ＰＳＲモードの対象となる静止画のフレームデータをフレームメモリ４３に格納する。そして、タイミングコントローラ１１は、フレームメモリ４３に格納したフレームデータを読み出して、ディスプレイパネル（ＬＣＤ）を制御する。このように、ＰＳＲモードでは、フレームメモリ４３に格納されているフレームデータに基づいて、タイミングコントローラ１１自身がディスプレイパネルの書き換えを行う。また、ＧＰＵからタイミングコントローラ１１に入力される描画データは、全ての画像ラインが変化せず、一部の画像ラインが変化する場合もある。この場合、タイミングコントローラ１１は、前後のフレームを比較することで、画像ラインに変化が生じた領域を特定する。そして、タイミングコントローラ１１は、変化が生じた画像領域のみについて、フレームメモリ４３内に記憶されている画像データを更新する。他方、変化が生じていない画像領域については、フレームメモリ４３に既に記憶されている画像データを利用する。このように、タイミングコントローラ１１は、ＰＳＲモード中は、前後のフレームを比較して、画像データに変化が生じた領域についてのみフレームメモリ４３内の画像データを更新する。これにより、フレームメモリ４３内の画像データを全て書き換える必要がなくなり、消費電力を低減させることができる。
【００７０】
［本発明の第５の実施形態］
次に、本発明の第５の実施形態について説明する。第５の実施形態では、例えば、ある特定のフレーム内の前後のラインが同一であるか否か、又は前後のフレームが同一であるか否かを判定し、同一であれば画像伝送を停止し低消費電力化を図る。図１９に示されるように、タイミングコントローラ１１は、同一ライン又は同一フレームを判定するための比較判定回路を有している。タイミングコントローラ１１は、一定期間にわたって同一ライン又は同一フレームが継続すると判定した場合、最初のライン又は最初のフレームのみをソースドライバ１２へと伝送し、その後の同一ライン又は同一フレームについてはソースドライバ１２への伝送を停止する。ソースドライバ１２は、ラインメモリを有している。このため、ソースドライバ１２は、タイミングコントローラ１１から受け取った最初のライン又は最初のフレームをラインメモリに格納する。そして、ソースドライバ１２は、最初のライン又はフレームと同じ内容のライン又はフレームについては、タイミングコントローラ１１からの伝送を受けずに、ラインメモリからデータを読み出すことで、ディスプレイパネルへの表示を行う。
【００７１】
まず、あるフレーム内の前後のラインが同一である場合の処理について説明する。タイミングコントローラ１１は、ライン比較部４５を有している。ライン比較部４５は、ある特定のフレーム内において、最新の入力ラインのデータ（ラインｎ）とその前のラインのデータ（ラインｎ−１）を比較することで、前後のラインが同一であるか否かを判定する。つまり、“ラインｎ”と“ラインｎ−１”が一致すれば、両ラインは同一となる。ライン比較部４５はあるフレーム内の前後のラインが同一であると判断した場合、その旨の情報を伝送データ制御部４１２に伝達する。伝送データ制御部４１２は、前のラインと同じラインについては、ソースドライバ１２に伝送しないようにデータ送信部４１１を制御する。また、伝送データ制御部４１２は、同じ内容のラインが所定期間にわたって続く場合、ソースドライバ１２に対して、そのラインのデータをラインメモリに格納するようにコマンドを送信してもよい。ソースドライバ１２は、伝送データ制御部４１２からの指示を受けて、あるラインのデータをラインメモリに格納する。その後、タイミングコントローラ１１からソースドライバ１２へのデータ伝送が停止されると、ソースドライバ１２は、自身のラインメモリに格納されているラインの画像データを読み出して、ディスプレイパネルに表示させる処理を行う。
【００７２】
次に、前後のフレームが同一である場合の処理について説明する。タイミングコントローラ１１は、フレーム比較部４６を有している。フレーム比較部４６は、最新の入力フレームのデータ（フレームｎ）とその前のフレームのデータ（フレームｎ−１）を比較することで、前後のフレームが同一であるか否かを判定する。つまり、“フレームｎ”と“フレームｎ−１”が一致すれば、両ラインは同一となる。フレーム比較部４６は前後のフレームが同一であると判断した場合、その旨の情報を伝送データ制御部４１２に伝達する。伝送データ制御部４１２は、前のフレームと同じフレームについては、ソースドライバ１２に伝送しないようにデータ送信部４１１を制御する。また、伝送データ制御部４１２は、同じ内容のフレームが所定期間にわたって続く場合、ソースドライバ１２に対して、そのフレームのデータをラインメモリに格納するようにコマンドを送信してもよい。ソースドライバ１２は、伝送データ制御部４１２からの指示を受けて、あるフレームのデータをラインメモリに格納する。その後、タイミングコントローラ１１からソースドライバ１２へのデータ伝送が停止されると、ソースドライバ１２は、自身のラインメモリに格納されているフレームの画像データを読み出して、ディスプレイパネルに表示させる処理を行う。
【００７３】
さらに、図２１に示されるように、第５の実施形態においては、画像データの内容が同じ複数のラインについては、ゲードドライバ１３から一括的にライトすることで、残りの時間をパワーセーブモードとすることができる。図２１に示された例では、ある特定のフレーム内において同一画像を表示する複数のラインが存在すると判断した場合、タイミングコントローラ１１からゲードドライバ１３へ、同一画像の領域を一括的にライトする命令を送り、ゲードドライバ１３では、当該領域内のラインを一括してライトする。これにより、一括ライト後の時間は、タイミングコントローラ１１からゲートドライバ１３への伝送を完全に停止させたパワーセーブとすることができる。従って、消費電力の低減が可能である。
【００７４】
図２２には、上記一括ライトを行う際のゲートドライバ１３の動作タイミングを示す。図２２において、ラインＮ、Ｎ＋１、Ｎ＋２を一括ライトする場合、ゲートドライバ１３は、ラインＮのタイミングで、３つのゲート（ラインＮ、Ｎ＋１、Ｎ＋２）を同時にイネーブル（有効）にすることで一括ライトする。その後、タイミングコントローラ１１はゲートドライバ１３へのデータ伝送を停止させ、ゲートドライバ１３のライトタイミングを休止させることができる。これにより、タイミングコントローラ１１の伝送停止期間を長くすることができ、さらに消費電力を低下させることができる。
【００７５】
［本発明の第６の実施形態］
続いて、本発明の第６の実施形態について説明する。第６の実施形態では、タイミングコントローラ１１が複数のソースドライバ１２を個別に制御し、より細かな消費電力削減を行う。例えば、４Ｋや２Ｋのディスプレイパネルの場合、ソースドライバ１２は６個配置される。タイミングコントローラ１１は各々のソースドライバ１２に対してＰ２Ｐ（Point-to-Point）で接続される。そして、タイミングコントローラ１１は、図２３に示されるように、ソースドライバ個別制御部４９を有している。このソースドライバ個別制御部４９は、複数のソースドライバ１２のそれぞれに対して映像データを伝送するデータ送信部４１１を、ソースドライバ１２ごとに個別に制御するための要素である。このように、複数のソースドライバ１２を個別に制御することで、特定のソースドライバ１２に画像伝送が不要であれば個別に伝送を止めるなど、データ伝送をより細かく制御できる。これにより、より正確にディスプレイパネルの低消費電力化を図ることができる。なお、ソースドライバ個別制御部４９は、タイミングコントローラ１１側で受信した画像データを各ソースドライバ１２に割り当てるために、画像データ順番を並び替えるなどの処理を行ってもよい。また、特定のソースドライバ用の画像データに変化がない場合、ソースドライバ個別制御部４９は、ソースドライバへの画像伝送を個別に停止することもできる。
【００７６】
［本発明の第７の実施形態］
続いて、本発明の第７の実施形態について説明する。第７の実施形態は、タイミングコントローラ１１からソースドライバ１２の電圧制御をリアルタイムに行うことで、消費電力を削減する。図２４には、第７の実施形態の構成例が示されている。図２４に示されるように、タイミングコントローラ１１は、特にソースドライバ１２のアンプ部のバイアス電圧をリアルタイムに制御することが好ましい。このように、タイミングコントローラ１１によってソースドライバ１２のバイアス電圧をフレキシブルに制御することで、従来の固定電圧の設定に比べて、より細かく消費電力を削減することができる。例えば、ＰＳＲモード時に、タイミングコントローラ１１によってソースドライバ１２をパワーセーブすることに加えて、ＰＳＲモード以外の動作中も、タイミングコントローラ１１によってソースドライバ１２のアンプのバイアス設定を表示する画像データに応じて調整することができる。これにより、タイミングコントローラ１１側の制御に基づいて、表示する画像データに応じてソースドライバ１２のバイアス電圧を適切に調整することができる。
【００７７】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００７８】
本発明は、電気機器産業にて好適に利用しうる。特に、本発明の画像通信装置は、液晶パネルを含む薄型パネルに組み込まれる画像通信用のモジュールとして、好適に利用しうる。
【符号の説明】
【００７９】
１…画像通信装置
１１…タイミングコントローラ
１２…ソースドライバ
１３…ゲートドライバ
４１…データ受信部
４２…ＰＳＲ制御部
４３…フレームメモリ
４４…静止画制御部
４５…ライン比較部
４６…フレーム比較部
４７…ライン間引き制御部
４８…ブランキング期間データ制御部
４９…ソースドライバ個別制御部
４１０…ゲートドライバ個別制御部
４１１…データ送信部
４１２…伝送データ制御部
【要約】      （修正有）【課題】タイミングコントローラ側でティスプレイの消費電力を低減させる技術を提供する。【解決手段】タイミングコントローラとソースドライバとを備える画像通信装置において、タイミングコントローラは、有効期間とブランキング期間とを含む外部イネーブル信号に応答して映像データを出力し、映像データには、有効期間の間に映像を表示するための表示データとブランキング期間の間に映像の表示を休止するための休止データとが含み、ソースドライバは、映像データを受信してディスプレイパネルの複数のソースラインを駆動し、タイミングコントローラは、複数のソースドライバに映像データを伝送するデータ送信部と、外部イネーブル信号のブランキング期間の間にデータ送信部からソースドライバへの映像データの伝送を停止させるブランキング期間データ制御部と、を有する。【選択図】図５【図１】
0005974218.tif 000002
【図２】
0005974218.tif 000003
【図３】
0005974218.tif 000004
【図４】
0005974218.tif 000005
【図５】
0005974218.tif 000006
【図６】
0005974218.tif 000007
【図７】
0005974218.tif 000008
【図８】
0005974218.tif 000009
【図９】
0005974218.tif 000010
【図１０】
0005974218.tif 000011
【図１１】
0005974218.tif 000012
【図１２】
0005974218.tif 000013
【図１３】
0005974218.tif 000014
【図１４】
0005974218.tif 000015
【図１５】
0005974218.tif 000016
【図１６】
0005974218.tif 000017
【図１７】
0005974218.tif 000018
【図１８】
0005974218.tif 000019
【図１９】
0005974218.tif 000020
【図２０】
0005974218.tif 000021
【図２１】
0005974218.tif 000022
【図２２】
0005974218.tif 000023
【図２３】
0005974218.tif 000024
【図２４】
0005974218.tif 000025